(57)【要約】【課題】支持部材、及びレンズのガタツキの少ないカメラモジュールを提供すること。【解決手段】本発明のカメラモジュールにおいて、レンズ１を取り付けた支持部材２移動の際、第１，第２の回転支持手段Ｇ１，Ｇ２によって支持部材２が保持部材３からガイドされるため、光軸方向Ｋに対して直交する方向の支持部材２、即ち、レンズ１のガタツキを極めて小さく抑えることができて、レンズ１の焦点調整が確実にできる。【選択図】  図１
2007171829.tif 000002
【特許請求の範囲】
【請求項１】
レンズを取り付けた支持部材と、この支持部材を保持する保持部材とを備え、前記レンズは、前記保持部材に対して移動可能な前記支持部材によって光軸方向に移動可能であると共に、前記支持部材と前記保持部材との間には、前記レンズを移動するための移動手段と、前記光軸方向に配置され、前記支持部材の移動をガイドする第１，第２の回転支持手段を設けたことを特徴とするカメラモジュール。
【請求項２】
前記第１，第２の回転支持手段は、互いに直径が異なった状態で設けられたことを特徴とする請求項１記載のカメラモジュール。
【請求項３】
前記支持部材は、小径のガイド外壁と大径のガイド外壁を有すると共に、前記保持部材は、小径のガイド内壁と大径のガイド内壁を有し、前記保持部材内に前記支持部材が挿入された際、前記小径のガイド外壁が前記小径のガイド内壁に摺接すると共に、前記大径のガイド外壁が前記大径のガイド内壁に摺接して、前記第１，第２の回転支持手段を形成したことを特徴とする請求項１、又は２記載のカメラモジュール。
【請求項４】
前記移動手段がネジによって形成されたことを特徴とする請求項３記載のカメラモジュール。
【請求項５】
前記ネジからなる前記移動手段が前記第１，第２の回転支持手段間に配置されたことを特徴とする請求項４記載のカメラモジュール。
【請求項６】
前記移動手段が傾斜カムによって形成されたことを特徴とする請求項３記載のカメラモジュール。
【発明の詳細な説明】
【技術分野】
【０００１】
本発明は、携帯電話機等に使用して好適なカメラモジュールに関するものである。
【背景技術】
【０００２】
従来のカメラモジュールの構成を図３に基づいて説明すると、レンズ５１は、鏡筒である筒状の支持部材５２の内部に取り付けられ、この支持部材５２の外壁面には、雄ネジ５３が設けられている。
【０００３】
筒状の保持部材５４の内壁面には、雌ネジ５５が設けられ、この保持部材５４内には、支持部材５２が挿入され、雄ネジ５３が雌ネジ５５に噛み合った状態で支持部材５２が光軸方向Ｋに移動可能に保持されると共に、支持部材５２を回転することによって、レンズ５１の焦点調整が行われるようになっている（例えば、特許文献１参照）。
【特許文献１】特開２００２−９８８７８号公報
【発明の開示】
【発明が解決しようとする課題】
【０００４】
しかし、従来のカメラモジュールにあっては、支持部材５２設けられた雄ネジ５３と保持部材５４に設けられた雌ネジ５５が単に互いに噛み合うようになっているため、雄ネジ５３と雌ネジ５５の噛み合わせのための遊びがあり、従って、支持部材５２，即ち、レンズ５１が光軸方向Ｋに対して直交する方向に比較的大きなガタツキが生じるという問題がある。
【０００５】
本発明は、このような従来技術の実情に鑑みてなされたもので、その目的は、支持部材、及びレンズのガタツキの少ないカメラモジュールを提供することにある。
【課題を解決するための手段】
【０００６】
上記の目的を達成するために、本発明は、レンズを取り付けた支持部材と、この支持部材を保持する保持部材とを備え、レンズは、保持部材に対して移動可能な支持部材によって光軸方向に移動可能であると共に、支持部材と保持部材との間には、レンズを移動するための移動手段と、光軸方向に配置され、支持部材の移動をガイドする第１，第２の回転支持手段を設けたことを特徴としている。
【０００７】
このように構成した本発明は、第１，第２の回転支持手段によって支持部材が保持部材からガイドされ、従って、光軸方向に対して直交する方向の支持部材、即ち、レンズのガタツキを極めて小さく抑えることができて、レンズの焦点調整が確実にできる。
【０００８】
また、本発明は、上記発明において、第１，第２の回転支持手段は、互いに直径が異なった状態で設けられたことを特徴としている。このように構成した本発明は、支持部材の光軸方向に対する傾きを極めて小さく抑えることができて、レンズの焦点調整が確実にできる。
【０００９】
また、本発明は、上記発明において、支持部材は、小径のガイド外壁と大径のガイド外壁を有すると共に、保持部材は、小径のガイド内壁と大径のガイド内壁を有し、保持部材内に支持部材が挿入された際、小径のガイド外壁が小径のガイド内壁に摺接すると共に、大径のガイド外壁が大径のガイド内壁に摺接して、第１，第２の回転支持手段を形成したことを特徴としている。
【００１０】
このように構成した本発明は、第１，第２の回転支持手段の形成が簡単で、生産性が良く、安価なものが得られる。
【００１１】
また、本発明は、上記発明において、移動手段がネジによって形成されたことを特徴としている。このように構成した本発明は、移動手段の形成が簡単で、生産性が良く、安価なものが得られる。
【００１２】
また、本発明は、上記発明において、ネジからなる移動手段が第１，第２の回転支持手段間に配置されたことを特徴としている。このように構成した本発明は、第１，第２の回転支持手段の一方が保持部材への挿入のガイドとなり、従って、移動手段であるネジの噛み合わせが容易となって、組立性の良好なものが得られる。
【００１３】
また、本発明は、上記発明において、移動手段が傾斜カムによって形成されたことを特徴としている。このように構成した本発明は、移動手段の形成が簡単で、生産性が良く、安価なものが得られる。
【発明の効果】
【００１４】
本発明は、第１，第２の回転支持手段によって支持部材が保持部材からガイドされ、従って、光軸方向に対して直交する方向の支持部材、即ち、レンズのガタツキを極めて小さく抑えることができて、レンズの焦点調整が確実にできる。
【発明を実施するための最良の形態】
【００１５】
発明の実施の形態について図面を参照して説明すると、図１は本発明のカメラモジュールの第１実施例に係る要部断面図、図２は本発明のカメラモジュールの第２実施例に係る要部の分解斜視図である。
【００１６】
次に、本発明のカメラモジュールの第１実施例に係る構成を図１に基づいて説明すると、本発明のカメラモジュールは、レンズ１を取り付けた支持部材２と、この支持部材２を保持する保持部材３と、支持部材２と保持部材３との間に設けられた移動手段Ｅ、及び第１，第２の回転支持手段Ｇ１，Ｇ２とで主部材が形成されている。
【００１７】
内部にレンズ１を取り付けた鏡筒である筒状の支持部材２は、前面に位置し、孔２ａを設けた前面板２ｂと、この前面板２ｂから突出する筒状部２ｃと、前面板２ｂ寄りの筒状部２ｃの外周面に設けられた大径のガイド外壁２ｄと、この筒状部２ｃの先端部側の外周面に設けられた小径のガイド外壁２ｅと、大径、小径のガイド外壁２ｄ、２ｅ間に位置した状態で、筒状部２ｃの外周面に設けられた雄ネジ２ｆを有する。
【００１８】
即ち、大径、小径のガイド外壁２ｄ、２ｅは、雄ネジ２ｆを挟んで、光軸方向Ｋに配置された状態となっている。
【００１９】
保持部材３は、２段状の筒状体で形成された筒状部３ａと、この筒状部３ａの上端側の内周面に設けられた大径のガイド内壁３ｂと、この大径のガイド内壁３ｂから間隔を置いて、筒状部３ａの奥側の内周面に設けられた小径のガイド内壁３ｃと、大径、小径のガイド内壁３ｂ、３ｃ間に位置した状態で、筒状部３ａの内周面に設けられた雌ネジ３ｄを有する。
【００２０】
即ち、大径、小径のガイド内壁３ｂ、３ｃは、雌ネジ３ｄを挟んで、光軸方向Ｋに配置された状態となっている。
【００２１】
この保持部材３の筒状部３ａ内には、支持部材２の筒状部２ｃが挿入されて、支持部材２が保持部材３に取り付けられており、支持部材２が取り付けられた際、雄ネジ２ｆと雌ネジ３ｄが噛み合うと共に、大径のガイド外壁２ｄと大径のガイド内壁３ｂが当接し、また、小径のガイド外壁２ｅと小径のガイド内壁３ｃが当接した状態になっている。
【００２２】
この状態で、レンズ１の焦点調整のために支持部材２が回転すると、移動手段Ｅである雄ネジ２ｆと雌ネジ３ｄの噛み合いによってレンズ１と支持部材２は、光軸方向Ｋに移動すると共に、支持部材２の回転動作時、大径のガイド外壁２ｄと大径のガイド内壁３ｂの間、及び小径のガイド外壁２ｅと小径のガイド内壁３ｃの間で摺接した動作が行われる。
【００２３】
この摺接動作によって、雄ネジ２ｆと雌ネジ３ｄの噛み合わせのための遊びがあっても、保持部材３に対する支持部材２の光軸方向Ｋと直交する方向のガタツキや保持部材３に対する支持部材２の傾きを極めて小さく抑えることができる。
【００２４】
そして、大径のガイド外壁２ｄと大径のガイド内壁３ｂによって第１の回転支持手段Ｇ１が、また、小径のガイド外壁２ｅと小径のガイド内壁３ｃによって第２の回転支持手段Ｇ２が形成されている。
【００２５】
なお、この回転支持手段は、小径側を第１の回転支持手段とし、大径側を第２の回転支持手段としても良く、また、支持部材２の筒状部２ｃを保持部材３の筒状部３ａよりも大きくして、筒状部２ｃ内に筒状部３ａを挿入するようにしても良い。
【００２６】
撮像素子４を取り付けたプリント基板５は、撮像素子４を保持部材３内に位置させた状態で、保持部材３の下部に取り付けられると共に、赤外線除去フィルタ６がレンズ１と撮像素子４との間に位置した状態で、保持部材３内に取り付けられて、本発明のカメラモジュールが形成されている。
【００２７】
また、図２は本発明のカメラモジュールの第２実施例を示し、この第２実施例について説明すると、保持部材３の筒状部３ａの上端面には、複数の傾斜カム３ｅが設けられ、また、支持部材２の前面板２ｂには、傾斜カム３ｅに当接し、傾斜カム３ｅに沿って移動する複数の凸部２ｇが設けられている。
【００２８】
この傾斜カム３ｅと凸部２ｇとで、ネジに代わる移動手段Ｅが形成され、支持部材２が焦点調整のために回転すると、凸部２ｇが傾斜カム３ｅに沿って移動し、これによって、レンズ１を伴って支持部材２が光軸方向Ｋに移動して、レンズ１の焦点調整が行われるようになっている。
【００２９】
また、支持部材２と保持部材３との間には、光軸方向Ｋに配置された第１，第２の回転支持手段Ｇ１，Ｇ２が設けられ、この第１，第２の回転支持手段Ｇ１，Ｇ２によって、支持部材２の回転動作を支持するようになっている。
【００３０】
その他の構成は、上記第１実施例と同様の構成を有し、同一部品に同一番号を付し、ここではその説明を省略する。
【００３１】
なお、上記第２実施例において、支持部材２の前面板２ｂに傾斜カムを設け、この傾斜カムに当接する凸部を保持部材３に設けても良い。
【図面の簡単な説明】
【００３２】
【図１】本発明のカメラモジュールの第１実施例に係る要部断面図である。
【図２】本発明のカメラモジュールの第２実施例に係る要部の分解斜視図である。
【図３】従来のカメラモジュールに係る要部断面図である。
【符号の説明】
【００３３】
１  レンズ
２  支持部材
２ａ  孔
２ｂ  前面板
２ｃ  筒状部
２ｄ  大径のガイド外壁
２ｅ  小径のガイド外壁
２ｆ  雄ネジ
２ｇ  凸部
３  保持部材
３ａ  筒状部
３ｂ  大径のガイド内壁
３ｃ  小径のガイド内壁
３ｄ  雌ネジ
３ｅ  傾斜カム
４  撮像素子
５  プリント基板
６  赤外線除去フィルタ
Ｋ  光軸方向
Ｅ  移動手段
Ｇ１  第１の回転支持手段
Ｇ２  第２の回転支持手段
【図１】
2007171829.tif 000003
【図２】
2007171829.tif 000004
【図３】
2007171829.tif 000005